(57)【要約】【課題】妨害信号によるＡＭ復調出力レベルの抑圧度を改善し、感度の低下を防止する。【解決手段】妨害信号がＲＦ増幅器２に入力して増幅されて出力されると、ＲＦレベル検出器３の妨害信号出力レベルが上昇し、ＲＦレベル検出器３の出力レベルがＲＦ増幅器２の設定値以上になるとＲＦ増幅器２の増幅度が減少する。これによって、ＲＦ増幅器２の希望信号の出力レベルが低下し、中間周波フィルタ６の希望信号出力レベルも低下する。妨害信号は中間周波フィルタ６でカットされるため、ＩＦレベル検出器１０の出力レベルは中間周波フィルタ６の希望信号出力レベルに応じて低下する。ＡＦ増幅器９の増幅度は、ＲＦレベル検出器３の出力がＡＦ増幅器９の比較電圧源の電圧値よりも高く、かつＩＦレベル検出器１０の出力がＡＦアンプ９の比較電圧源の電圧値よりも低い場合には増加する。【選択図】図１
2005109865.tif 000002
【特許請求の範囲】
【請求項１】
受信した高周波信号を増幅するＲＦ増幅器と、
前記ＲＦ増幅器の出力に局部発振信号を混合して中間周波信号に変換する混合器と、
前記中間周波信号を所定の周波数帯域幅で通過させる中間周波フィルタと、
前記中間周波フィルタの出力を増幅するＩＦ増幅器と、
前記ＩＦ増幅器の出力をＡＭ検波する検波器と、
前記検波器の出力を増幅するＡＦ増幅器と、
前記ＲＦ増幅器の出力レベルに応じて前記ＲＦ増幅器の増幅度を制御する手段と、
前記中間周波フィルタの出力レベルと前記ＲＦ増幅器の出力レベルに応じて前記ＡＦ増幅器の増幅度を制御する手段と、
を備えたことを特徴とするＡＭラジオ受信機。
【請求項２】
受信した高周波信号を増幅するＲＦ増幅器と、
前記ＲＦ増幅器の出力に局部発振信号を混合して中間周波信号に変換する混合器と、
前記中間周波信号を所定の周波数帯域幅で通過させる中間周波フィルタと、
前記中間周波フィルタの出力を増幅するＩＦ増幅器と、
前記ＩＦ増幅器の出力をＡＭ検波する検波器と、
前記ＲＦ増幅器の出力レベルに応じて前記ＲＦ増幅器の増幅度を制御する手段と、
前記中間周波フィルタの出力レベルと前記ＲＦ増幅器の出力レベルに応じて前記ＩＦ増幅器の増幅度を制御する手段と、
を備えたことを特徴とするＡＭラジオ受信機。
【発明の詳細な説明】
【技術分野】
【０００１】
本発明は、妨害局による感度の抑圧を防止したＡＭラジオ受信機に関する。
【背景技術】
【０００２】
従来のこの種のＡＭラジオ受信機として特許文献１，２に記載されたものを例示することができる。
【０００３】
図９は従来のＡＭラジオ受信機の構成を説明するためのブロック図であり、ＡＭラジオ受信機はアンテナ１，ＲＦ増幅器２，ＲＦレベル検出器３，局部発振器４，混合器５，中間周波フィルタ６，ＩＦ増幅器７，ＡＭ検波器８によって構成されている。
【０００４】
図１０は前記ＲＦレベル検出器３の入出力特性の一例を示す図である。
【０００５】
以上のように構成された従来のＡＭラジオ受信機の動作について説明する。
【０００６】
図９において、アンテナ１で受信した放送局信号はＲＦ増幅器２で増幅され、混合器５で局部発振器４からの局部発振信号と混合されて中間周波信号に変換される。中間周波信号は中間周波フィルタ６で帯域制限された後、ＩＦ増幅器７で増幅され、ＡＭ検波器８でＡＭ復調されて出力される。
【０００７】
ＲＦレベル検出器３は、ＲＦ増幅器２の搬送波出力レベルを検波して出力する。ＲＦ増幅器２の増幅度は、ＲＦレベル検出器３の出力レベルがＲＦ増幅器２で設定される設定レベルよりも大きい場合には低減される。
【０００８】
従来のＡＭラジオ受信機において希望信号のみが存在する場合の動作について説明する。
【０００９】
図１１は従来のＡＭラジオ受信機のアンテナ１にＡＭ変調された希望信号が入力された場合の各部における出力レベル特性を示しており、１１ａはＲＦ増幅器２の出力レベル、１１ｂはＲＦレベル検出器３の出力ＤＣ電圧、１１ｃはＡＭ検波器８の検波出力レベルをそれぞれ示している。
【００１０】
ＲＦ増幅器２の出力レベルの増加に伴い、ＲＦレベル検出器３の出力レベルは増加する。ＲＦレベル検出器３の出力レベルがＲＦ増幅器２の設定値以上になると、ＲＦ増幅器の増幅度が減少するため、ＲＦ増幅器２の出力レベルは一定値以下に抑制され、それに伴いＡＭ検波器８の出力レベルも一定値以下に抑制される。
【００１１】
次に、従来のＡＭラジオ受信機において、希望信号と、希望信号とは周波数が異なる妨害信号とが存在する場合の動作について説明する。
【００１２】
なお、アンテナ１に入力される希望信号レベルは一定であり、妨害信号は中間周波フィルタ６により減衰されるため、ＡＭ検波器８へは入力されない。
【００１３】
図１２は従来のＡＭラジオ受信機のアンテナ１に入力される妨害信号のレベルに対する各部における出力レベルを示しており、１２ａはＲＦレベル検出器３の出力ＤＣ電圧、１２ｂはＡＭ検波器８の復調出力レベルをそれぞれ示している。
【００１４】
妨害信号がＲＦ増幅器２に入力され、増幅されて出力されると、ＲＦレベル検出器３の出力レベルが上昇し、ＲＦレベル検出器３の出力レベルがＲＦ増幅器２の設定値以上になると、ＲＦ増幅器２の増幅度が減少するため、ＲＦ増幅器２の希望信号の出力レベルが低下し、ＡＭ検波器８の出力レベルも低下する。
【特許文献１】特開昭５９−２１２０３８号公報
【特許文献２】特許第３１７４２３０号公報
【発明の開示】
【発明が解決しようとする課題】
【００１５】
しかしながら、図９に示すように構成される従来のＡＭラジオ受信機では、入力される妨害信号によって、ＲＦ増幅器２の増幅度が減少するため、ＲＦ増幅器２の希望信号の出力レベルが低下し、ＡＭラジオ受信機の出力レベルが低下するという問題があった。
【００１６】
本発明は、前記従来の問題を解決し、妨害信号によるＡＭ復調出力レベルの抑圧度を改善し、感度の低下を防止することができるＡＭラジオ受信機を提供することを目的とする。
【課題を解決するための手段】
【００１７】
前記課題を解決するために、本願請求項１の発明は、受信した高周波信号を増幅するＲＦ増幅器と、前記ＲＦ増幅器の出力に局部発振信号を混合して中間周波信号に変換する混合器と、前記中間周波信号を所定の周波数帯域幅で通過させる中間周波フィルタと、前記中間周波フィルタの出力を増幅するＩＦ増幅器と、前記ＩＦ増幅器の出力をＡＭ検波する検波器と、前記検波器の出力を増幅するＡＦ増幅器と、前記ＲＦ増幅器の出力レベルに応じて前記ＲＦ増幅器の増幅度を制御する手段と、前記中間周波フィルタの出力レベルと前記ＲＦ増幅器の出力レベルに応じて前記ＡＦ増幅器の増幅度を制御する手段とを備えたものである。
【００１８】
また、本願請求項２の発明は、受信した高周波信号を増幅するＲＦ増幅器と、前記ＲＦ増幅器の出力に局部発振信号を混合して中間周波信号に変換する混合器と、前記中間周波信号を所定の周波数帯域幅で通過させる中間周波フィルタと、前記中間周波フィルタの出力を増幅するＩＦ増幅器と、前記ＩＦ増幅器の出力をＡＭ検波する検波器と、前記ＲＦ増幅器の出力レベルに応じて前記ＲＦ増幅器の増幅度を制御する手段と、前記中間周波フィルタの出力レベルと前記ＲＦ増幅器の出力レベルに応じて前記ＩＦ増幅器の増幅度を制御する手段とを備えたものである。
【発明の効果】
【００１９】
本発明に係るＡＭラジオ受信機によれば、妨害信号によってＲＦレベル検出器の出力レベルが増加し、ＲＦ増幅器の希望信号の出力レベルが低下する場合には、ＡＦ増幅器の増幅度が増加するため、従来よりもＡＭ復調出力レベルの抑圧度を改善することができる。
【００２０】
また、妨害信号によってＲＦレベル検出器の出力レベルが増加し、ＲＦ増幅器の希望信号の出力レベルが低下する場合には、ＩＦ増幅器の増幅度が増加するため、従来よりもＡＭ復調出力レベルの抑圧度を改善することができる。
【発明を実施するための最良の形態】
【００２１】
以下、本発明の実施の形態について図面を参照して説明する。
（実施形態１）
本発明の実施形態１のＡＭラジオ受信機について図１〜図５を参照して説明する。なお、従来例において説明した部材に対応する部材には同一符号を付した。
【００２２】
図１は実施形態１のＡＭラジオ受信機の構成を示すブロック図であり、本実施形態のＡＭラジオ受信機は、アンテナ１，ＲＦ増幅器２，ＲＦレベル検出器３，局部発振器４，混合器５，中間周波フィルタ６，ＩＦ増幅器７，ＡＭ検波器８，ＡＦ増幅器９，ＩＦレベル検出器１０とにより構成されている。
【００２３】
図２は前記ＡＦ増幅器９の構成例を示し、直流カット用コンデンサ９００と、差動増幅器を構成するＮＰＮトランジスタ９０４，９０５と、入力バイアス電圧源９０２と、バイアス用抵抗９０１と、負荷抵抗９０６と、コンパレータ用ＰＮＰトランジスタ９０８，９０９と、コンパレータ用ＮＰＮトランジスタ９１３，９１４と、比較電圧源９１０，９１５と、電流源９０３，９０７と、電流ミラー回路を構成するＮＰＮトランジスタ９１１，９１２とにより構成されている。
【００２４】
前記比較電圧源９１０の電圧値は、アンテナ１が無入力時のＲＦレベル検出器３の出力ＤＣ電圧よりも高い電圧に設定されており、比較電圧源９１５の電圧値はアンテナ１が無入時のＩＦレベル検出器１０の出力ＤＣ電圧よりも高い電圧に設定されている。ＡＦ増幅器９は、ＲＦレベル検出器３の出力が比較電圧源９１０の電圧よりも高く、かつＩＦレベル検出器１０の出力が比較電圧源９１５の電圧よりも低い場合に、電流源９０７の電流がＮＰＮトランジスタ９０４，９０５により構成される差動増幅器に流れて、増幅度が増加する。
【００２５】
図３は前記ＩＦレベル検出器１０の構成例を示し、直流カット用コンデンサ１０００と、入力バイアス電圧源１００２と、バイアス用抵抗１００１と、ピーク検波用ＮＰＮトランジスタ１００３と、ピーク検波用コンデンサ１００４と、電流源１００５，１００７と、バッファ用ＮＰＮトランジスタ１００６と、ローパスフィルタ用抵抗１００８と、ローパスフィルタ用コンデンサ１００９とにより構成されている。
【００２６】
図４は前記ＩＦレベル検出器１０の搬送波入力レベルと出力電圧の特性例を示しており、入力レベルの増加に伴い出力ＤＣ電圧は増加する。
【００２７】
実施形態１のＡＭラジオ受信機において、希望信号と、希望信号とは周波数が異なる妨害信号とが存在する場合の動作について説明する。なお、アンテナ１に入力される希望信号レベルは一定とし、希望信号によってＲＦレベル検出器３の出力ＤＣ電圧が比較電圧源９１０の電圧よりも高くならず、かつ希望信号によってＩＦレベル検出器１０の出力ＤＣ電圧が比較電圧源９１５の電圧よりも低くならない入力レベルとなっている。
【００２８】
妨害信号は中間周波フィルタ６により減衰されるため、ＩＦ増幅器７へは入力されない。図５は実施の形態１のＡＭラジオ受信機に入力される妨害信号のレベルに対する各部の出力レベルを示しており、５ａはＲＦ増幅器２の妨害信号出力レベル、５ｂはＲＦレベル検出器３の出力ＤＣ電圧、５ｃはＲＦ増幅器２の希望信号出力レベル、５ｄは中間周波フィルタ６の出力レベル、５ｅはＩＦレベル検出器１０の出力ＤＣ電圧、５ｆはＡＭ検波器８の出力レベル、５ｇはＡＦ増幅器９の出力レベルを示している。
【００２９】
妨害信号がＲＦ増幅器２に入力され、増幅されて出力されると、ＲＦレベル検出器３の妨害信号出力レベルが上昇し、ＲＦレベル検出器３の出力レベルがＲＦ増幅器２の設定値以上になるとＲＦ増幅器２の増幅度が減少するため、ＲＦ増幅器２の希望信号の出力レベルが低下し、中間周波フィルタ６の希望信号出力レベルも低下する。妨害信号は中間周波フィルタ６でカットされるため、ＩＦレベル検出器１０の出力レベルは中間周波フィルタ６の希望信号出力レベルに応じて低下する。ＡＦ増幅器９の増幅度は、ＲＦレベル検出器３の出力がＡＦ増幅器９の比較電圧源９１０の電圧値よりも高く、かつＩＦレベル検出器１０の出力がＡＦアンプ９の比較電圧源９１５の電圧値よりも低い場合には増加する。よって、ＡＦ増幅器９の出力レベルの妨害信号による落ち込みは、ＡＭ検波器８の出力レベルの妨害信号レベルの落ち込みに比べ改善される。
【００３０】
（実施形態２）
本発明の実施形態２のＡＭラジオ受信機について図６〜図８を参照して説明する。
【００３１】
図６は本発明の実施形態２のＡＭラジオ受信機における構成を示すブロック図であり、従来例において説明した部材、および実施形態１において説明した部材に対応する部材には同一符号を付して詳しい説明は省略する。
【００３２】
図６において実施形態２と実施形態１とは、増幅度を可変する手段を設けたＩＦ増幅器１１を含んで構成されている点が異なる。
【００３３】
図７は実施形態２におけるＩＦ増幅器１１の構成例を示し、直流カット用コンデンサ１１００と、差動増幅器を構成するＮＰＮトランジスタ１１０４，１１０５と、入力バイアス電圧源１１０２と、バイアス用抵抗１１０１と、負荷抵抗１１０６と、コンパレータ用ＰＮＰトランジスタ１１０８，１１０９と、コンパレータ用ＮＰＮトランジスタ１１１３，１１１４と、比較電圧源１１１０，１１１５と、電流源１１０３，１１０７と、電流ミラー回路を構成するＮＰＮトランジスタ１１１１，１１１２とで構成されている。
【００３４】
比較電圧源１１１０の電圧値は、アンテナ１が無入力時のＲＦレベル検出器３の出力ＤＣ電圧よりも高い電圧に設定されており、比較電圧源１１１５の電圧値は、アンテナ１が無入力時のＩＦレベル検出器１０の出力ＤＣ電圧よりも高い電圧に設定されている。ＩＦ増幅器１１は、ＲＦレベル検出器３の出力が比較電圧源１１１０の電圧よりも高く、かつＩＦレベル検出器１０の出力が比較電圧源１１１５の電圧よりも低い場合に、電流源１１０７の電流がＮＰＮトランジスタ１１０４，１１０５により構成される差動増幅器に流れて増幅度が増加する。
【００３５】
実施形態２におけるＡＭラジオ受信機において希望信号と、希望信号とは周波数が異なる妨害信号とが存在する場合の動作について説明する。なお、アンテナ１に入力される希望信号レベルは一定とし、希望信号によってＲＦレベル検出器３の出力ＤＣ電圧が比較電圧源１１１０の電圧よりも高くならず、かつ、希望信号によってＩＦレベル検出器１０の出力ＤＣ電圧が比較電圧源１１１５の電圧よりも低くならない入力レベルとなっている。
【００３６】
妨害信号は中間周波フィルタ６により減衰されるため、ＩＦ増幅器１１へは入力されない。図８は実施の形態２のＡＭラジオ受信機に入力される妨害信号のレベルに対する各部の出力レベルを示しており、８ａはＲＦ増幅器２の妨害信号出力レベル、８ｂはＲＦレベル検出器３の出力ＤＣ電圧、８ｃはＲＦ増幅器２の希望信号出力レベル、８ｄは中間周波フィルタ６の出力レベル、８ｅはＩＦレベル検出器１０の出力ＤＣ電圧、８ｆはＩＦ増幅器１１の出力レベル、８ｇはＡＭ検波器の出力レベルを示している。
【００３７】
妨害信号がＲＦ増幅器２に入力され、増幅されて出力されると、ＲＦレベル検出器３の妨害信号出力レベルが上昇し、ＲＦレベル検出器３の出力レベルがＲＦ増幅器２の設定値以上になるとＲＦ増幅器２の増幅度が減少するため、ＲＦ増幅器２の希望信号の出力レベルが低下し、中間周波フィルタ６の希望信号出力レベルも低下する。妨害信号は中間周波フィルタ６によりカットされるため、ＩＦレベル検出器１０の出力レベルが中間周波フィルタ６の希望信号出力レベルに応じて低下する。ＩＦ増幅器１１の増幅度は、ＲＦレベル検出器３の出力がＩＦ増幅器１１の比較電圧源１１１０の電圧値よりも高く、かつＩＦレベル検出器１０の出力がＩＦ増幅器１１の比較電圧源１１１５の電圧値よりも低い場合には増加する。ＡＭ検波器８はＩＦ増幅器１１の出力をＡＭ検波して出力する。
【産業上の利用可能性】
【００３８】
本発明は、妨害信号による影響を抑制し、感度の低下を防ぐようにしたＡＭラジオ受信機に適用され、特にＡＭ復調出力レベルの抑圧度を改善するＡＭラジオ受信機に用いて有用である。
【図面の簡単な説明】
【００３９】
【図１】本発明の実施形態１のＡＭラジオ受信機における構成を示すブロック図
【図２】実施形態１におけるＡＦ増幅器の構成を示す回路図
【図３】実施形態１におけるＩＦレベル検出器の構成を示す回路図
【図４】実施形態１におけるＩＦレベル検出器の特性図
【図５】実施形態１における妨害信号入力対各部の出力特性図
【図６】本発明の実施形態２のＡＭラジオ受信機における構成を示すブロック図
【図７】実施形態２におけるＩＦ増幅器の構成を示す回路図
【図８】実施形態２における妨害信号入力対各部の出力特性図
【図９】従来のＡＭラジオ受信機における構成を示すブロック図
【図１０】従来のＲＦレベル検出器の特性図
【図１１】従来のＡＭラジオ受信機における希望信号入力対各部の出力特性図
【図１２】従来のＡＭラジオ受信機における妨害信号入力対各部の出力特性図
【符号の説明】
【００４０】
１  アンテナ
２  ＲＦ増幅器
３  ＲＦレベル検出器
４  局部発信器
５  混合器
６  中間周波フィルタ
７  ＩＦ増幅器
８  ＡＭ検波器
９  ＡＦ増幅器
１０  ＩＦレベル検出器
１１  ＩＦ増幅器
９００，１０００，１１００  直流カット用コンデンサ
９０１，１００１，１１０１  バイアス用抵抗
９０２，１００２，１１０２  入力バイアス電圧源
９０３，９０７，１００５，１００７，１１０３，１１０７  電流源
９０４，９０５，１１０４，１１０５  差動増幅器用ＮＰＮトランジスタ
９０６，１１０６  負荷抵抗
９０８，９０９，１１０８，１１０９  コンパレータ用ＰＮＰトランジスタ
９１０，９１５，１１１０，１１１５  比較電圧源
９１１，９１２，１１１１，１１１２  電流ミラー回路用ＮＰＮトランジスタ
９１３，９１４，１１１３，１１１４  コンパレータ用ＮＰＮトランジスタ
１００３  ピーク検波用ＮＰＮトランジスタ
１００４  ピーク検波用コンデンサ
１００６  バッファ用ＮＰＮトランジスタ
１００８  ローパスフィルタ用抵抗
１００９  ローパスフィルタ用コンデンサ
【図１】
2005109865.tif 000003
【図２】
2005109865.tif 000004
【図３】
2005109865.tif 000005
【図４】
2005109865.tif 000006
【図５】
2005109865.tif 000007
【図６】
2005109865.tif 000008
【図７】
2005109865.tif 000009
【図８】
2005109865.tif 000010
【図９】
2005109865.tif 000011
【図１０】
2005109865.tif 000012
【図１１】
2005109865.tif 000013
【図１２】
2005109865.tif 000014